(57)【特許請求の範囲】
【請求項１】
電力のデマンドレスポンスの対象となる空調機器および照明機器が設置された建物内の自動販売機と、この自動販売機を管理する自動販売機管理装置とから構成され、
前記自動販売機管理装置は、
前記自動販売機が設置された建物におけるデマンドレスポンスの対価として決定されるインセンティブに対応して、前記建物の居住者に前記インセンティブを分配するために前記自動販売機で販売する商品の割引価格を決定する価格決定手段と、
前記自動販売機で販売する商品の価格を前記割引価格に設定するための第１の価格操作信号を前記デマンドレスポンスの実施時間帯に前記自動販売機に送信し、前記自動販売機で販売する商品の価格を通常価格に設定するための第２の価格操作信号を前記デマンドレスポンスの実施時間帯が終了したときに前記自動販売機に送信する第１の送信手段とを備え、
前記自動販売機は、
前記自動販売機管理装置から送信される第１、第２の価格操作信号を受信する第１の受信手段と、
前記第１の受信手段が受信した第１、第２の価格操作信号に従って、自機で販売する商品の価格を変更する変更処理手段と、
前記変更処理手段の価格変更処理に対応して、自機で販売する商品の価格表示を変更する表示手段とを備えることを特徴とするインセンティブ分配システム。
【請求項２】
請求項１記載のインセンティブ分配システムにおいて、
さらに、前記自動販売機管理装置は、
商品価格の設定状態を示す価格状態信号を前記自動販売機から受信する第２の受信手段と、
前記第２の受信手段が受信した価格状態信号に対応して、前記自動販売機の価格設定状態を提示する提示手段とを備え、
前記自動販売機は、
前記変更処理手段の価格変更処理に対応して、前記価格状態信号を前記自動販売機管理装置に送信する第２の送信手段を備えることを特徴とするインセンティブ分配システム。
【請求項３】
請求項１または２記載のインセンティブ分配システムにおいて、
前記自動販売機管理装置の価格決定手段は、前記インセンティブの金額と、このインセンティブのうち前記建物の居住者に分配されるインセンティブの割合を示すインセンティブ還元率と、前記自動販売機が前記デマンドレスポンスの実施時間帯に販売すると予想される割引商品の数と、この商品の通常価格とに基づいて、前記割引価格を決定することを特徴とするインセンティブ分配システム。
【請求項４】
請求項１乃至３のいずれか１項に記載のインセンティブ分配システムにおいて、
さらに、前記自動販売機管理装置は、前記第１の価格操作信号の出力に伴って、前記自動販売機で販売する割引商品に在庫切れの可能性があると判定した場合に、在庫切れ予想通知を商品販売事業者に発報する発報手段を備えることを特徴とするインセンティブ分配システム。
【請求項５】
請求項１乃至４のいずれか１項に記載のインセンティブ分配システムにおいて、
前記自動販売機の表示手段は、商品を割引販売している場合は当該商品の価格表示方法を変更することを特徴とするインセンティブ分配システム。
【請求項６】
請求項１乃至５のいずれか１項に記載のインセンティブ分配システムにおいて、
前記自動販売機は、前記建物の非業務エリアに設置されることを特徴とするインセンティブ分配システム。
【請求項７】
電力のデマンドレスポンスの対象となる空調機器および照明機器が設置された建物内の自動販売機を管理する自動販売機管理装置が、前記自動販売機が設置された建物における電力のデマンドレスポンスの対価として決定されるインセンティブに対応して、前記建物の居住者に前記インセンティブを分配するために前記自動販売機で販売する商品の割引価格を決定する価格決定ステップと、
前記自動販売機管理装置が、前記自動販売機で販売する商品の価格を前記割引価格に設定するための第１の価格操作信号を前記デマンドレスポンスの実施時間帯に前記自動販売機に送信する第１の送信ステップと、
前記自動販売機が、前記自動販売機管理装置から送信された第１の価格操作信号を受信する第１の受信ステップと、
前記自動販売機が、受信した第１の価格操作信号に従って、自機で販売する商品の価格を通常価格から割引価格に変更する第１の価格変更処理ステップと、
前記自動販売機が、前記第１の価格変更処理ステップに対応して、自機で販売する商品の価格表示を変更する第１の表示変更処理ステップと、
前記自動販売機管理装置が、前記自動販売機で販売する商品の価格を通常価格に設定するための第２の価格操作信号を前記デマンドレスポンスの実施時間帯が終了したときに前記自動販売機に送信する第２の送信ステップと、
前記自動販売機が、前記自動販売機管理装置から送信された第２の価格操作信号を受信する第２の受信ステップと、
前記自動販売機が、受信した第２の価格操作信号に従って、自機で販売する商品の価格を割引価格から通常価格に変更する第２の価格変更処理ステップと、
前記自動販売機が、前記第２の価格変更処理ステップに対応して、自機で販売する商品の価格表示を変更する第２の表示変更処理ステップとを含むことを特徴とするインセンティブ分配方法。
【発明の詳細な説明】
【技術分野】
【０００１】
本発明は、インセンティブ型のデマンドレスポンスに関連して導入されるシステムに係り、特にデマンドレスポンスの対価として需要家に支払われるインセンティブをデマンドレスポンスが実施される建物の居住者に分配するインセンティブ分配システムおよび方法に関するものである。
【背景技術】
【０００２】
地球温暖化問題に起因する法改正などに伴ってエネルギー使用量管理が強く求められており、近年では、時間帯別に電気料金を設定したり、電力削減に協力した需要家に電力事業者から報酬（以下、インセンティブとする）を支払ったりするなどのサービスを提供することによって、ピーク時の電力消費を抑えるデマンドレスポンス（以下、ＤＲとする）を導入する試みが行なわれている。
【０００３】
このような電力のＤＲに関し、ＤＲ実施のインセンティブとしてコーヒー券の配布（非特許文献１参照）や、節電に応じたポイントの付与（非特許文献２参照）が試されており、インセンティブの重要性が認識されている。
また、インセンティブの適正化を目的として、電力供給者側の立場から電力削減目標に対応するインセンティブの算出方法が提案されている（特許文献１参照）。
【先行技術文献】
【特許文献】
【０００４】
【特許文献１】特開２０１６−０１２２７３号公報
【非特許文献】
【０００５】
【非特許文献１】依田高典他，“オフィスビルを対象にしたBuilding Energy Management SystemのAutomated Demand Responseの効果実証について”，第５８回自動制御連合講演会，２０１５-１１
【非特許文献２】“エネット、ＮＴＴファシリティーズの節電サービスに共通来店ポイントサービス「楽天チェック」を試験運用”，株式会社エネット，＜https://www.ennet.co.jp/assets/img/cms/20150928/20140526_192711.pdf＞，２０１４年
【発明の概要】
【発明が解決しようとする課題】
【０００６】
インセンティブの必要性（重要性）の背景には、ＤＲの実施に伴い空調などの設備電力を抑制することによる、建物居住者の不満足感を緩和するという目的がある。
しかし、居住者の不満足の感じ方（あるいは我慢強さ）には個人差があるなどの理由により、インセンティブの分配に非効率さが生じることがあり、改善が求められている。
【０００７】
本発明は、上記課題を解決するためになされたもので、ＤＲが実施される建物の居住者へのインセンティブの分配の有効性を改善し、居住者の不満足感を低減することができるインセンティブ分配システムおよび方法を提供することを目的とする。
【課題を解決するための手段】
【０００８】
本発明のインセンティブ分配システムは、電力のデマンドレスポンスの対象となる空調機器および照明機器が設置された建物内の自動販売機と、この自動販売機を管理する自動販売機管理装置とから構成され、前記自動販売機管理装置は、前記自動販売機が設置された建物におけるデマンドレスポンスの対価として決定されるインセンティブに対応して、前記建物の居住者に前記インセンティブを分配するために前記自動販売機で販売する商品の割引価格を決定する価格決定手段と、前記自動販売機で販売する商品の価格を前記割引価格に設定するための第１の価格操作信号を前記デマンドレスポンスの実施時間帯に前記自動販売機に送信し、前記自動販売機で販売する商品の価格を通常価格に設定するための第２の価格操作信号を前記デマンドレスポンスの実施時間帯が終了したときに前記自動販売機に送信する第１の送信手段とを備え、前記自動販売機は、前記自動販売機管理装置から送信される第１、第２の価格操作信号を受信する第１の受信手段と、前記第１の受信手段が受信した第１、第２の価格操作信号に従って、自機で販売する商品の価格を変更する変更処理手段と、前記変更処理手段の価格変更処理に対応して、自機で販売する商品の価格表示を変更する表示手段とを備えることを特徴とするものである。
【０００９】
また、本発明のインセンティブ分配システムの１構成例において、さらに、前記自動販売機管理装置は、商品価格の設定状態を示す価格状態信号を前記自動販売機から受信する第２の受信手段と、前記第２の受信手段が受信した価格状態信号に対応して、前記自動販売機の価格設定状態を提示する提示手段とを備え、前記自動販売機は、前記変更処理手段の価格変更処理に対応して、前記価格状態信号を前記自動販売機管理装置に送信する第２の送信手段を備えることを特徴とするものである。
また、本発明のインセンティブ分配システムの１構成例において、前記自動販売機管理装置の価格決定手段は、前記インセンティブの金額と、このインセンティブのうち前記建物の居住者に分配されるインセンティブの割合を示すインセンティブ還元率と、前記自動販売機が前記デマンドレスポンスの実施時間帯に販売すると予想される割引商品の数と、この商品の通常価格とに基づいて、前記割引価格を決定することを特徴とするものである。
また、本発明のインセンティブ分配システムの１構成例において、さらに、前記自動販売機管理装置は、前記第１の価格操作信号の出力に伴って、前記自動販売機で販売する割引商品に在庫切れの可能性があると判定した場合に、在庫切れ予想通知を商品販売事業者に発報する発報手段を備えることを特徴とするものである。
また、本発明のインセンティブ分配システムの１構成例において、前記自動販売機の表示手段は、商品を割引販売している場合は当該商品の価格表示方法を変更することを特徴とするものである。
また、本発明のインセンティブ分配システムの１構成例において、前記自動販売機は、前記建物の非業務エリアに設置されることを特徴とするものである。
【００１０】
また、本発明のインセンティブ分配方法は、電力のデマンドレスポンスの対象となる空調機器および照明機器が設置された建物内の自動販売機を管理する自動販売機管理装置が、前記自動販売機が設置された建物における電力のデマンドレスポンスの対価として決定されるインセンティブに対応して、前記建物の居住者に前記インセンティブを分配するために前記自動販売機で販売する商品の割引価格を決定する価格決定ステップと、前記自動販売機管理装置が、前記自動販売機で販売する商品の価格を前記割引価格に設定するための第１の価格操作信号を前記デマンドレスポンスの実施時間帯に前記自動販売機に送信する第１の送信ステップと、前記自動販売機が、前記自動販売機管理装置から送信された第１の価格操作信号を受信する第１の受信ステップと、前記自動販売機が、受信した第１の価格操作信号に従って、自機で販売する商品の価格を通常価格から割引価格に変更する第１の価格変更処理ステップと、前記自動販売機が、前記第１の価格変更処理ステップに対応して、自機で販売する商品の価格表示を変更する第１の表示変更処理ステップと、前記自動販売機管理装置が、前記自動販売機で販売する商品の価格を通常価格に設定するための第２の価格操作信号を前記デマンドレスポンスの実施時間帯が終了したときに前記自動販売機に送信する第２の送信ステップと、前記自動販売機が、前記自動販売機管理装置から送信された第２の価格操作信号を受信する第２の受信ステップと、前記自動販売機が、受信した第２の価格操作信号に従って、自機で販売する商品の価格を割引価格から通常価格に変更する第２の価格変更処理ステップと、前記自動販売機が、前記第２の価格変更処理ステップに対応して、自機で販売する商品の価格表示を変更する第２の表示変更処理ステップとを含むことを特徴とするものである。
【発明の効果】
【００１１】
本発明によれば、デマンドレスポンスの対価として決定されるインセンティブに対応して、デマンドレスポンスの実施時間帯に建物内の自動販売機で販売する商品の価格を割り引くことにより、インセンティブの居住者への分配についての有効性を改善し、建物の居住者の不満足感を低減することができる。また、本発明では、建物の居住者の不満足感を低減することで、デマンドレスポンスの実施を促進することが期待できる。
【００１２】
また、本発明では、価格状態信号を自動販売機から送信し、自動販売機管理装置が自動販売機の価格設定状態を提示することにより、建物管理者などが自動販売機の価格設定状態を確認することが可能となる。
【００１３】
また、本発明では、在庫切れ予想通知を商品販売事業者に発報することにより、商品の補充を効率的に行なうことが可能となる。
【００１４】
また、本発明では、商品を割引販売している場合に、自動販売機における当該商品の価格表示方法を変更することにより、商品が割引販売されていることを建物の居住者に知らせることができ、デマンドレスポンスの実施に伴うインセンティブが分配されていることを居住者に認識させることができる。
【図面の簡単な説明】
【００１５】
【図１】本発明の第１の実施の形態に係るインセンティブ分配システムの構成を示すブロック図である。
【図２】本発明の第１の実施の形態に係るインセンティブ分配システムの動作を説明するフローチャートである。
【図３】本発明の第１の実施の形態において自動販売機で表示される商品の価格が通常価格から割引価格に変更される例を示す図である。
【図４】本発明の第１の実施の形態において自動販売機で表示される商品の価格が割引価格から通常価格に変更される例を示す図である。
【図５】本発明の第１の実施の形態において自動販売機で表示される商品の価格が通常価格から割引価格に変更される他の例を示す図である。
【図６】本発明の第１の実施の形態に係るインセンティブ分配システムの具体的な構成例を示すブロック図である。
【図７】本発明の第２の実施の形態に係るインセンティブ分配システムの構成を示すブロック図である。
【図８】本発明の第２の実施の形態に係るインセンティブ分配システムの動作を説明するフローチャートである。
【発明を実施するための形態】
【００１６】
［発明の原理１］
発明者は、居住者が利用する飲料等の自動販売機が、インセンティブの分配に活用できることに着眼した。例えば、ＤＲの実施に伴い需要家に付与されるインセンティブの金額分に応じて、特定の時間帯において自動販売機で販売される飲料等の価格を割り引く。
【００１７】
自動販売機は居住者が能動的に利用するものなので、ＤＲの実施による快適性の悪化に特に不満足を感じている居住者が積極的に割引による不満足感の解消を求める行動を起こしやすいことになり、インセンティブの分配は自然に多めになる。逆に、ＤＲの実施に対し不満足感をあまり感じていない居住者は、あえて特定の時間帯の割引による不満足感解消をあまり必要としないので、インセンティブの分配は自然に少なめになる。すなわち、自動販売機が、不満足の感じ方の個人差に伴うインセンティブ分配の重み付け手段として機能することが期待できる。
【００１８】
［発明の原理２］
ＤＲの実施がきめ細かくなるにつれ、ＤＲの実施時間帯を短時間としたり、同一建物内でも複数の実施場所に分割してローテーションするなど、より細かな対応が必要になる。このようなＤＲの細分化に対応して、自動販売機における割引価格を変更したり、通常の価格に戻したりという操作に加え、価格状況確認を建物管理者などが行なえることが好ましい。すなわち、きめ細かなダイナミックプライシングの実現が望まれる。
そこで、発明者は、遠隔操作に対応して価格設定および価格表示を変更する操作機能に加え、管理者等による価格状況確認のための機能を自動販売機にさらに設けることに想到した。
【００１９】
［発明の原理３］
ＤＲの実施に伴い、自動販売機によるインセンティブ分配が行なわれるということは、居住者を自動販売機の利用に誘導することになるので、自動販売機で販売する商品の在庫切れの確率が通常より高くなる。
発明者は、上記の課題にさらに着眼し、ＤＲ実施計画情報に連動して、自動販売機の商品の在庫切れ予想通知を飲料等の供給者に発報する機能に想到した。
【００２０】
［発明の原理４］
自動販売機を非業務エリア（例えば休憩室など）に設置し、ＤＲ実施時間帯に割引が実施されるのが、好適である。この場合、居住者がＤＲ実施時間帯に休憩室に移動して、まとまった時間を過ごす確率が高くなる。すなわち、業務を一時的に停止してパソコンをスリープ状態にしたり、業務空間の空調や照明などを節電可能状態にすることになるので、居住者が不満足感を蓄積せずに節電を促進できることが期待できる。
【００２１】
また、上記のとおり、ＤＲの実施がきめ細かくなるにつれ、ＤＲの実施時間帯を短時間とするなどの対応が必要になる。上記のようにＤＲの実施時間帯と非業務時間帯（休憩など）とが重なるようにすれば、短時間のＤＲ促進にさらに好適である。
【００２２】
［第１の実施の形態］
以下、本発明の実施の形態について図面を参照して説明する。図１は本発明の第１の実施の形態に係るインセンティブ分配システムの構成を示すブロック図である。本実施の形態は、上記発明の原理１、発明の原理２、発明の原理４に対応する例である。
【００２３】
インセンティブ分配システムは、ＤＲの対象機器（例えば空調機器や照明機器）が設置された建物の居住者が利用する自動販売機１と、複数の電力需要家を管理するアグリゲータ事業者または自動販売機１の商品販売事業者が運営する管理センターに設置された自動販売機管理装置２とから構成される。本実施の形態では、説明を簡易にするため、自動販売機管理装置２と自動販売機１とが共に１台ずつの１対１の場合を例に挙げて説明するが、自動販売機管理装置２が１台で自動販売機１が複数台の１対多、自動販売機管理装置２が複数台で自動販売機１が１台の多対１、自動販売機管理装置２と自動販売機１とが共に複数台の多対多の場合にも本発明を適用可能である。
【００２４】
管理センターに設置された自動販売機管理装置２は、自動販売機１が設置された建物におけるＤＲの対価として決定されるインセンティブに対応して、自動販売機１で販売する商品の割引価格を決定する価格決定部２０と、自動販売機１で販売する商品の価格を割引価格に設定するための価格操作信号をＤＲの実施時間帯に出力し、自動販売機１で販売する商品の価格を通常価格に設定するための価格操作信号をＤＲの実施時間帯が終了したときに出力する信号出力部２１と、商品価格の設定状態を示す価格状態信号を入力する信号入力部２２と、価格状態信号に対応して自動販売機１の価格設定状態を提示（表示）する提示部２３と、自動販売機１と通信を行なうための通信機能部２４と、記憶部２５とを備えている。信号出力部２１と通信機能部２４とは自動販売機管理装置２の送信手段を構成し、また信号入力部２２と通信機能部２４とは自動販売機管理装置２の受信手段を構成している。
【００２５】
ＤＲの対象機器が設置された建物の非業務エリアである休憩室などに設置された自動販売機１は、自動販売機管理装置２と通信を行なうための通信機能部１０と、価格操作信号を入力する信号入力部１１と、受信した価格操作信号に従って、自機で販売する商品の価格を変更する変更処理部１２と、変更処理部１２の価格変更処理に対応して、自機で販売する商品の価格表示を変更する表示部１３と、価格設定状態を示す価格状態信号を出力する信号出力部１４と、飲料等の商品を販売するための機構部１５と、機構部１５を制御して商品の料金徴収や商品の販売等を行なう制御部１６と、記憶部１７とを備えている。通信機能部１０と信号入力部１１とは自動販売機１の受信手段を構成し、また通信機能部１０と信号出力部１４とは自動販売機１の送信手段を構成している。
【００２６】
自動販売機管理装置２の通信機能部２４と自動販売機１の通信機能部１０とは、通信回線（不図示）を介して接続されている。通信は有線通信であってもよいし、無線通信であってもよい。
【００２７】
本実施の形態のインセンティブ分配システムの動作を図２（Ａ）、図２（Ｂ）を参照して説明する。図２（Ａ）は自動販売機管理装置２の動作を説明するフローチャート、図２（Ｂ）は自動販売機１の動作を説明するフローチャートである。
【００２８】
自動販売機管理装置２の記憶部２５には、例えば管理対象の自動販売機１が設置された建物の情報（建物の住所、名称、自動販売機１が設置された場所、オーナーの氏名等）、管理対象の自動販売機１が設置された建物のＤＲの実施スケジュール情報と、管理対象の自動販売機１に固有のＩＤ（識別情報）と、管理対象の自動販売機１で販売する商品に固有のＩＤと、管理対象の自動販売機１で販売する商品のうち割引対象の商品に固有のＩＤと、管理対象の自動販売機１で販売する商品の通常価格と、管理対象の自動販売機１で販売する商品の名称と、管理対象の自動販売機１が割引時間帯（ＤＲの実施時間帯）に販売すると予想される割引対象の商品の数と、電力事業者またはアグリゲータ事業者から支払われるインセンティブの金額と、インセンティブのうち建物の居住者に分配されるインセンティブの割合を示すインセンティブ還元率の情報とが記憶されている。
【００２９】
また、自動販売機１の記憶部１７には、自機に固有のＩＤと、自機で販売する商品に固有のＩＤと、自機で販売する商品の通常価格の情報と、自機で販売する商品の在庫情報とが記憶されている。
【００３０】
自動販売機管理装置２の価格決定部２０は、管理下の自動販売機１が設置された建物における電力のＤＲの実施に伴って決定されるインセンティブに応じて、自動販売機１で販売する商品の価格（割引価格）を決定する（図２（Ａ）ステップＳ１００）。
【００３１】
以下、具体的な計算例を説明する。ＤＲの対価として電力事業者またはアグリゲータ事業者から支払われるインセンティブは、契約容量に応じて支払われる基本報酬（ｋＷあたり）と実際に削減した電力量に応じて支払われる従量報酬（ｋＷｈあたり）に大別される。契約容量３０ｋＷで契約している建物において、１ヶ月あたりＤＲを２回実施する場合、１回あたりのＤＲの実施時間が１時間であれば、ＤＲ１回の基本報酬が７０００円であるとする。
【００３２】
一方、従量報酬はｋＷｈあたり２０円であるとする。契約容量３０ｋＷの建物ではＤＲを１時間実施すると、３０ｋＷｈ削減することになるので、ＤＲ１回の従量報酬は６００円になる。つまり、基本報酬と従量報酬を合計したインセンティブは１回あたり７６００円になる。インセンティブは建物のオーナーに支払われるため、建物の居住者に配分される金額はインセンティブに所定のインセンティブ還元率を掛けた金額となる。ここでは、インセンティブ還元率を５０％とすると、３８００円が分配対象となる。
【００３３】
次に、ＤＲが実施される建物の全居住者数を４００人とする。そのうち、ＤＲの実施による快適性の悪化に特に不満足を感じている居住者が全居住者の１／４であり、割引時間帯（ＤＲの実施時間帯）に積極的に自動販売機１を利用するものとし、さらに別の１／４が彼らの行動に誘発されるものとすると、２００人分の商品（例えば飲料）が割引対象になる。つまり、商品１個あたりの割引金額は３８００÷２００＝１９円になる。１円玉の釣銭は自動販売機１で扱いたくないので、割引金額は四捨五入で２０円と算出される。商品の通常価格が１００円であれば、割引価格は１００−２０＝８０円と決定される。
【００３４】
以上の計算をまとめると、ＤＲの実施に応じて決まる全体のインセンティブ金額をＴＭ［円］、所定のインセンティブ還元率をＲ［％］、自動販売機１が割引時間帯に販売すると予想される商品の所定数をＮ［個］、商品の通常価格をＰ［円］とすると、価格決定部２０は、商品の割引価格Ｍ［円］を次式により計算する。
Ｍ＝Ｐ−ＲＯＵＮＤ（ＴＭ×（Ｒ／１００）÷Ｎ）                  ・・・（１）
【００３５】
ＲＯＵＮＤ（）は四捨五入することを意味する。なお、割引価格の決定方法は上記の例に限るものではない。例えば上記の例では、建物の全消費電力を一時的に０にする場合で計算しているが、実際にはＤＲの実施による削減量が１時間の全消費電力量３０ｋＷｈのうちの一部になることは言うまでもない。
【００３６】
また、自動販売機１が割引時間帯に販売すると予想される商品の数は、過去のＤＲの実施に伴う居住者の意識調査等の結果に基づいて予め設定しておけばよい。割引対象の商品が複数種類ある場合には、例えば自動販売機１が割引時間帯に販売すると予想される商品の総数をＮ［個］として、式（１）の計算を商品の種類毎に行なえばよい。
【００３７】
次に、自動販売機管理装置２の信号出力部２１は、記憶部２５に記憶されたＤＲの実施スケジュール情報に基づいて、自動販売機１が設置された建物のＤＲの開始時刻になったと判断すると（図２（Ａ）ステップＳ１０１においてＹＥＳ）、自動販売機１で販売する商品の価格を、価格決定部２０がステップＳ１００で決定した割引価格に設定するための価格操作信号を出力する（図２（Ａ）ステップＳ１０２）。なお、信号出力部２１は、自動販売機管理装置２の販売管理者の手動操作に応じて価格操作信号を出力するようにしてもよい。
【００３８】
価格操作信号は、例えば自動販売機１に固有のＩＤと、割引対象の商品に固有のＩＤと、割引対象の商品の設定すべき割引価格の情報とを含む。割引対象の商品が複数種類ある場合、価格操作信号は、複数種類の商品のＩＤとこれら商品の設定すべき各割引価格の情報とを含む。
自動販売機管理装置２の通信機能部２４は、信号出力部２１から出力された価格操作信号を自動販売機１へ送信する（図２（Ａ）ステップＳ１０３）。
【００３９】
自動販売機１の信号入力部１１は、自動販売機管理装置２から送信された価格操作信号を通信機能部１０を介して受信する（図２（Ｂ）ステップＳ２００）。
自動販売機１の変更処理部１２は、信号入力部１１が受信した価格操作信号に従って、自動販売機１で販売する商品の価格を、価格操作信号で指定された割引価格に変更する（図２（Ｂ）ステップＳ２０１）。この割引価格への変更は、表示部１３と信号出力部１４と制御部１６とに通知される。割引対象の商品が複数種類ある場合には、割引価格への変更処理が商品の種類毎に行なわれる。
【００４０】
自動販売機１の表示部１３は、変更処理部１２の処理に応じて、商品の価格表示を、通常価格の表示から割引価格の表示に変更する（図２（Ｂ）ステップＳ２０２）。図３（Ａ）、図３（Ｂ）は表示部１３で表示される商品の価格が通常価格（図３（Ａ））から割引価格（図３（Ｂ））に変更される例を示す図である。
【００４１】
自動販売機１の信号出力部１４は、商品価格の設定状態を示す価格状態信号を出力する（図２（Ｂ）ステップＳ２０３）。価格状態信号は、例えば自動販売機１に固有のＩＤと、割引価格が設定された商品に固有のＩＤと、設定された割引価格と、割引価格の設定開始時刻の情報とを含む。割引対象の商品が複数種類ある場合、価格状態信号は、複数種類の商品のＩＤとこれら商品の設定された各割引価格の情報とを含む。また、自動販売機１が販売する商品の中に、割引対象の商品と割引対象でない商品とが混在する場合、価格状態信号は、自動販売機１が販売する全商品のＩＤとこれら商品の各価格の情報とを含むようにしてもよい。
自動販売機１の通信機能部１０は、信号出力部１４から出力された価格状態信号を自動販売機管理装置２へ送信する（図２（Ｂ）ステップＳ２０４）。
【００４２】
自動販売機管理装置２の信号入力部２２は、自動販売機１から送信された価格状態信号を通信機能部２４を介して受信する（図２（Ａ）ステップＳ１０４）。
自動販売機管理装置２の提示部２３は、信号入力部２２が受信した価格状態信号に対応して、自動販売機１の価格設定状態を、自動販売機管理装置２の販売管理者に対して提示（表示）する（図２（Ａ）ステップＳ１０５）。このときの表示内容としては、例えば割引対象の商品のＩＤに対応する商品名称と、この表品の割引価格と、割引価格の設定開始時刻とがある。自動販売機１が販売する商品の中に、割引対象の商品と割引対象でない商品とが混在する場合、割引対象の商品だけでなく、割引対象でない商品の価格状態を同時に表示するようにしてもよい。
【００４３】
次に、自動販売機管理装置２の信号出力部２１は、記憶部２５に記憶されたＤＲの実施スケジュール情報に基づいて、自動販売機１が設置された建物のＤＲの終了時刻になったと判断すると（図２（Ａ）ステップＳ１０６においてＹＥＳ）、自動販売機１で販売する商品の価格を、記憶部２５に記憶されている通常価格に設定するための価格操作信号を出力する（図２（Ａ）ステップＳ１０７）。ステップＳ１０２のときと同様に、信号出力部２１は、自動販売機管理装置２の販売管理者の手動操作に応じて価格操作信号を出力するようにしてもよい。
【００４４】
このときの価格操作信号は、例えば自動販売機１に固有のＩＤと、割引販売されている商品に固有のＩＤと、割引販売されている商品の設定すべき通常価格の情報とを含む。割引販売されている商品が複数種類ある場合、価格操作信号は、複数種類の商品のＩＤと設定すべき各通常価格の情報とを含む。なお、商品の通常価格の情報は自動販売機１の記憶部１７にも記憶されているので、通常価格の情報の代わりに、割引販売されている商品を通常価格に戻すよう指令する情報を送るようにしてもよい。
自動販売機管理装置２の通信機能部２４は、信号出力部２１から出力された価格操作信号を自動販売機１へ送信する（図２（Ａ）ステップＳ１０８）。
【００４５】
自動販売機１の信号入力部１１は、自動販売機管理装置２から送信された価格操作信号を通信機能部１０を介して受信する（図２（Ｂ）ステップＳ２０５）。
自動販売機１の変更処理部１２は、信号入力部１１が受信した価格操作信号に従って、自動販売機１で販売する商品の価格を通常価格に変更する（図２（Ｂ）ステップＳ２０６）。変更処理部１２は、価格操作信号に含まれる通常価格の情報に従って商品の価格を変更してもよいし、価格操作信号に含まれる指令に従って、商品の価格を、記憶部１７に記憶されている通常価格に変更してもよい。この通常価格への変更は、表示部１３と信号出力部１４と制御部１６とに通知される。割引販売されていた商品が複数種類ある場合には、通常価格への変更処理が商品の種類毎に行なわれる。
【００４６】
自動販売機１の表示部１３は、変更処理部１２の処理に応じて、商品の価格表示を、割引価格の表示から通常価格の表示に変更する（図２（Ｂ）ステップＳ２０７）。図４（Ａ）、図４（Ｂ）は表示部１３で表示される商品の価格が割引価格（図４（Ａ））から通常価格（図４（Ｂ））に変更される例を示す図である。
【００４７】
自動販売機１の信号出力部１４は、商品価格の設定状態を示す価格状態信号を出力する（図２（Ｂ）ステップＳ２０８）。このときの価格状態信号は、例えば自動販売機１に固有のＩＤと、通常価格に変更された商品に固有のＩＤと、設定された通常価格と、通常価格の設定開始時刻の情報とを含む。割引販売されていた商品が複数種類ある場合、価格状態信号は、複数種類の商品のＩＤとこれら商品の設定された各通常価格の情報とを含む。また、自動販売機１が販売する商品の中に、割引対象の商品と割引対象でない商品とが混在する場合、価格状態信号は、自動販売機１が販売する全商品のＩＤとこれら商品の各通常価格の情報とを含むようにしてもよい。
自動販売機１の通信機能部１０は、信号出力部１４から出力された価格状態信号を自動販売機管理装置２へ送信する（図２（Ｂ）ステップＳ２０９）。
【００４８】
自動販売機管理装置２の信号入力部２２は、自動販売機１から送信された価格状態信号を通信機能部２４を介して受信する（図２（Ａ）ステップＳ１０９）。
自動販売機管理装置２の提示部２３は、信号入力部２２が受信した価格状態信号に対応して、自動販売機１の価格設定状態を、自動販売機管理装置２の販売管理者に対して提示（表示）する（図２（Ａ）ステップＳ１１０）。このときの表示内容としては、例えば通常価格に変更された商品のＩＤに対応する商品名称と、この表品の通常価格と、通常価格の設定開始時刻とがある。自動販売機１が販売する商品の中に、割引対象の商品と割引対象でない商品とが混在する場合、割引販売されていた商品だけでなく、割引販売されていなかった商品の価格状態を同時に表示するようにしてもよい。
【００４９】
以上の構成と動作により、本実施の形態では、特定の時間帯（ＤＲの実施時間帯）において自動販売機１で販売される飲料等の商品の価格を割り引くことができる。このとき、その割引価格をＤＲの実施に伴って決定されるインセンティブに応じた価格とすれば、実質的にＤＲの実施によるインセンティブを建物の居住者に分配できることになる（発明の原理１）。
【００５０】
本実施の形態では、自動販売機管理装置２が管理センターに設置されているものとして説明しているが、自動販売機管理装置２の構成のうち、提示部２３を管理センターだけでなく、自動販売機１が設置された建物の管理室にも配置すれば、自動販売機管理装置２の販売管理者だけでなく、建物管理者も自動販売機１の価格設定状態を確認することができる。これにより、ＤＲの実施がきめ細かくなるにつれて、ＤＲの実施時間帯が短時間になったとしても、自動販売機管理装置２の販売管理者や建物管理者が混乱して装置の操作を誤る可能性を低減することができる（発明の原理２）。
【００５１】
なお、自動販売機１の表示部１３は、商品価格の割引中は価格表示方法を変更するのが好ましい。例えば図５（Ａ）、図５（Ｂ）に示す例では、表示部１３で表示される商品の価格が通常価格（図５（Ａ））から割引価格（図５（Ｂ））に変更される際に、表示する価格だけでなく、背景色も同時に表示される。これにより、利用者（居住者）にとってインセンティブが分配されていることを認識しやすくできる。
【００５２】
また、上記の計算例では、居住者へのインセンティブ還元率を５０％とし、ＤＲの実施による快適性の悪化に特に不満足を感じている居住者数を全居住者数の１／４としているが、インセンティブの分配の実施効果を見ながら、これらの数値を適宜調整するのが好ましい。
【００５３】
［現実的なシステム構成］
図６にインセンティブ分配システムの具体的な構成例を示す。このインセンティブ分配システムは、自動販売機１と、飲料等の商品を自動販売機１で販売する商品販売事業者２００が運営する商品販売事業者システム２０１と、自動販売機１が設置された建物３０２のオーナー３００またはオーナー３００から委託された者が運営する建物管理システム３０１とから構成される。
【００５４】
図１の自動販売機管理装置２は商品販売事業者システム２０１内に設置される。また、上記のように提示部２３は、商品販売事業者システム２０１内だけでなく、建物管理システム３０１内にも設置される。
【００５５】
アグリゲータ事業者１００は、ＤＲの実施に関して建物オーナー３００と契約し、決定したＤＲの実施計画とインセンティブの金額とを建物オーナー３００側に事前にあるいはＤＲの直前に連絡する。また、ＤＲの実施スケジュール情報とインセンティブの情報は、アグリゲータ事業者１００から商品販売事業者２００側にも通知される。
【００５６】
建物オーナー３００は、インセンティブ還元率を決定し、このインセンティブ還元率を自動販売機１で販売する商品の価格決定のために必要な情報として商品販売事業者２００に連絡する。自動販売機１への商品の補充は商品販売事業者２００が担当する。
【００５７】
建物管理システム３０１は、アグリゲータ事業者１００との契約で定められたＤＲの実施時間帯において、建物３０２の設備機器３０３の動作を制限（例えば一時的な電源オフ）することにより、電力削減を実現する。
【００５８】
自動販売機１は、上記のように価格状態信号を商品販売事業者システム２０１に送信する。また、自動販売機１の制御部１６は、通信機能部１０を通じて商品の在庫情報を商品販売事業者システム２０１に送信する。
商品販売事業者システム２０１（自動販売機管理装置２）は、上記のように自動販売機１で販売する商品の価格を決定し、また自動販売機１から商品の在庫情報や価格状態の通知を受ける。
【００５９】
［第２の実施の形態］
次に、本発明の第２の実施の形態について説明する。図７は本発明の第２の実施の形態に係るインセンティブ分配システムの構成を示すブロック図であり、図１と同一の構成には同一の符号を付してある。本実施の形態は、上記発明の原理１、発明の原理３、発明の原理４に対応する例である。
【００６０】
本実施の形態のインセンティブ分配システムは、自動販売機１と、自動販売機管理装置２ａとから構成される。自動販売機１の構成は第１の実施の形態で説明したとおりである。自動販売機管理装置２ａは、価格決定部２０と、信号出力部２１と、信号入力部２２と、提示部２３と、通信機能部２４と、記憶部２５と、価格操作信号の出力に伴って、自動販売機１で販売する割引商品に在庫切れの可能性があると判定した場合に、在庫切れ予想通知を商品販売事業者に発報する発報部２６とを備えている。
【００６１】
次に、本実施の形態のインセンティブ分配システムの動作を図８を参照して説明する。図８は自動販売機管理装置２ａの動作を説明するフローチャートである。上記のとおり、自動販売機１の構成および動作は第１の実施の形態と同じなので、説明は省略する。
【００６２】
図８のステップＳ１００〜Ｓ１０３の処理は第１の実施の形態で説明したとおりである。自動販売機管理装置２ａの発報部２６は、自動販売機１で販売する商品の割引価格が価格決定部２０によって決定された後に、自動販売機１が設置された建物のＤＲの開始時刻になると、記憶部２５を参照し、自動販売機１で販売する割引商品の在庫切れの可能性があるかどうかを判定する（図８ステップＳ１１１）。
【００６３】
発報部２６は、例えば記憶部２５に記憶された在庫情報が示す割引商品の現在の在庫数から、自動販売機１がＤＲの実施時間帯に販売すると予想される当該割引商品の数を引いた減算結果が所定の在庫下限値を下回る場合、自動販売機１で販売する割引商品に在庫切れの可能性があると判定する。
【００６４】
そして、発報部２６は、割引商品に在庫切れの可能性があると判定した場合、在庫切れ予想通知を商品販売事業者に発報する（図８ステップＳ１１２）。この在庫切れ予想通知には、例えば在庫切れの可能性がある自動販売機１が設置された建物の住所および名称と、建物内の自動販売機１が設置された場所の情報と、在庫切れの可能性がある割引商品の名称と、この割引表品の現在の在庫数と、ＤＲの実施時間帯終了後の割引商品の予想される残数の情報が含まれる。発報の具体的な方法としては、例えば在庫切れ予想通知メッセージを表示する等の方法がある。なお、判定および発報のタイミングは、商品の割引価格が価格決定部２０によって決定された後であればよく、ＤＲの開始時刻以前に行なってもよい。その場合、発報部２６が価格操作信号を事前に受信するような処理になる。
図８のステップＳ１０４〜Ｓ１１０の処理は第１の実施の形態で説明したとおりである。
【００６５】
こうして、本実施の形態では、在庫切れ予想通知を商品販売事業者に発報することにより、商品の補充を効率的に行なうことが可能となる。
【００６６】
第１、第２の実施の形態で説明した自動販売機管理装置２，２ａは、ＣＰＵ（Central Processing Unit）、記憶装置及びインタフェースを備えたコンピュータと、これらのハードウェア資源を制御するプログラムによって実現することができる。同様に、第１、第２の実施の形態で説明した自動販売機１の通信機能部１０と信号入力部１１と変更処理部１２と信号出力部１４と制御部１６と記憶部１７とは、コンピュータとプログラムによって実現することができる。各々の装置のＣＰＵは、各々の記憶装置に格納されたプログラムに従って第１、第２の実施の形態で説明した処理を実行する。
【産業上の利用可能性】
【００６７】
本発明は、デマンドレスポンスの実施に伴うインセンティブをデマンドレスポンスが実施される建物の居住者に分配するシステムに適用することができる。
【符号の説明】
【００６８】
１…自動販売機、２，２ａ…自動販売機管理装置、１０…通信機能部、１１，２２…信号入力部、１２…変更処理部、１３…表示部、１４，２１…信号出力部、１５…機構部、１６…制御部、１７，２５…記憶部、２０…価格決定部、２３…提示部、２４…通信機能部、２５…記憶部、２６…発報部、２０１…商品販売事業者システム、３０１…建物管理システム、３０２…建物、３０３…設備機器。
【図１】
0006718299.tif 000002
【図２】
0006718299.tif 000003
【図３】
0006718299.tif 000004
【図４】
0006718299.tif 000005
【図５】
0006718299.tif 000006
【図６】
0006718299.tif 000007
【図７】
0006718299.tif 000008
【図８】
0006718299.tif 000009